(57)【要約】【課題】被清掃面にこびり付いてしまった塵埃でもきれいに除去することができる掃除具を提供する。【解決手段】掃除具は、旋回室形成部１、排気管３、清掃体４を備える。旋回室形成部１は、吸気口８から流入した空気を側壁７に沿って旋回させるための旋回室９を備える。旋回室形成部１は、下面に旋回室９に通じる開口１０が形成される。排気管３は、一部が旋回室９に突出する。排気管３の上記一部に、通気孔１５が形成される。清掃体４は、旋回室９で発生した旋回気流によって旋回し、開口１０から被清掃面の塵埃を除去する。【選択図】図１
2014087517.tif 000002
【特許請求の範囲】
【請求項１】
吸気口から流入した空気を側壁に沿って旋回させるための旋回室を有し、下面に前記旋回室に通じる開口が形成された旋回室形成部と、
一部が前記旋回室に突出し、前記一部に通気孔が形成された排気管と、
前記旋回室で発生した旋回気流によって旋回し、前記開口から被清掃面の塵埃を除去する清掃体と、
を備えた掃除具。
【請求項２】
前記通気孔は、前記吸気口より下方に形成された請求項１に記載の掃除具。
【請求項３】
前記側壁は、少なくとも前記吸気口より下方の部分が、下方に向かうに従って径が大きくなる円筒状を呈する請求項１又は請求項２に記載の掃除具。
【請求項４】
前記側壁は、少なくとも前記吸気口より下方の部分が、円筒形状又は下方に向かうに従って径が大きくなる円筒状を呈し、
前記排気管の前記一部は、
中心軸が前記側壁の中心軸に沿うように配置された円筒部と、
を備えた請求項１又は請求項２に記載の掃除具。
【請求項５】
前記通気孔は、前記円筒部の下部に形成された請求項４に記載の掃除具。
【請求項６】
前記排気管の前記一部は、
前記円筒部から下方に延び、下方に向かうに従って径が小さくなる円錐部と、
を備えた請求項４に記載の掃除具。
【請求項７】
前記通気孔は、前記円錐部の上部に形成された請求項６に記載の掃除具。
【請求項８】
前記円筒部と前記側壁との間隔は、前記清掃体の幅より小さい請求項４から請求項７の何れか一項に記載の掃除具。
【請求項９】
前記排気管の前記一部又は前記旋回室形成部に設けられ、前記清掃体の落下を防止するための保持部と、
を更に備えた請求項１から請求項８の何れか一項に記載の掃除具。
【請求項１０】
前記保持部は、円形の板状を呈し、前記排気管の前記一部の下端に設けられた請求項９に記載の掃除具。
【請求項１１】
前記保持部は、前記旋回室形成部に対して取り外し可能に設けられた請求項９又は請求項１０に記載の掃除具。
【請求項１２】
前記側壁の下端部の近傍の空気を、前記吸気口から前記旋回室に流入させるための吸引風路形成部と、
を更に備えた請求項１から請求項１１の何れか一項に記載の掃除具。
【請求項１３】
前記清掃体は、球体、円柱体、多面体の何れかの形状を呈する請求項１から請求項１２の何れか一項に記載の掃除具。
【請求項１４】
前記清掃体は、
芯体と、
前記芯体の表面に設けられた突起又は前記芯体の表面に設けられたひだ又は前記芯体の表面に設けられた紐状体と、
を備えた請求項１から請求項１２の何れか一項に記載の掃除具。
【請求項１５】
前記側壁又は前記清掃体は、内部又は表面に帯電防止剤を備えた請求項１から請求項１４の何れか一項に記載の掃除具。
【請求項１６】
前記排気管は、前記通気孔から前記旋回室形成部の外側に至る屈曲した風路を形成する請求項１から請求項１５の何れか一項に記載の掃除具。
【請求項１７】
前記排気管は、
前記一部を有する第１管体と、
前記旋回室形成部の外側で前記第１管体に接続された第２管体と、
を備え、
前記第１管体及び前記第２管体は、前記通気孔から前記旋回室形成部の外側に至る屈曲した風路を形成し、
前記第２管体は、前記第１管体に対する角度が調節可能である
請求項１から請求項１５の何れか一項に記載の掃除具。
【請求項１８】
前記旋回室形成部に設けられ、前記旋回室形成部の下面より下方に突出する塵埃除去体と、
を更に備えた請求項１から請求項１７の何れか一項に記載の掃除具。
【請求項１９】
前記旋回室形成部は、前記開口に対向する被清掃面を前記側壁を介して目視可能に構成された請求項１から請求項１８の何れか一項に記載の掃除具。
【発明の詳細な説明】
【技術分野】
【０００１】
この発明は、電気掃除機に接続されて使用される掃除具に関するものである。
【背景技術】
【０００２】
特許文献１に、電気掃除機に接続されて使用される掃除具が開示されている。この掃除具では、内部に設けられたプロペラが風を受けて回転し、先端に設けられたブラシが回転する。
【先行技術文献】
【特許文献】
【０００３】
【特許文献１】特開２００２−２３３４７９号公報
【発明の概要】
【発明が解決しようとする課題】
【０００４】
特許文献１に記載された掃除具は、ブラシを被清掃面に強く押し当てると、ブラシの回転が止まってしまう。特許文献１に記載された掃除具を使用しても、タンスの上等、塵埃がこびり付いている被清掃面をきれいにすることはできなかった。
【０００５】
この発明は、上述のような課題を解決するためになされたもので、その目的は、被清掃面にこびり付いてしまった塵埃でもきれいに除去することができる掃除具を提供することである。
【課題を解決するための手段】
【０００６】
この発明に係る掃除具は、吸気口から流入した空気を側壁に沿って旋回させるための旋回室を有し、下面に旋回室に通じる開口が形成された旋回室形成部と、一部が旋回室に突出し、一部に通気孔が形成された排気管と、旋回室で発生した旋回気流によって旋回し、開口から被清掃面の塵埃を除去する清掃体と、を備えたものである。
【発明の効果】
【０００７】
この発明に係る掃除具であれば、被清掃面にこびり付いてしまった塵埃でもきれいに除去することができる。
【図面の簡単な説明】
【０００８】
【図１】この発明の実施の形態１における掃除具を示す斜視図である。
【図２】この発明の実施の形態１における掃除具の断面を示す図である。
【図３】図２のＡ−Ａ断面を示す図である。
【図４】図２のＢ−Ｂ断面を示す図である。
【図５】図１に示す掃除具の使用方法を説明するための図である。
【図６】掃除具の他の構成例を示す断面図である。
【図７】掃除具の他の構成例を示す斜視図である。
【図８】掃除具の他の構成例を示す断面図である。
【図９】掃除具の他の構成例を示す斜視図である。
【図１０】この発明の実施の形態２における掃除具を示す斜視図である。
【発明を実施するための形態】
【０００９】
添付の図面を参照して、本発明を詳細に説明する。各図では、同一又は相当する部分に、同一の符号を付している。重複する説明は、適宜簡略化或いは省略する。
【００１０】
実施の形態１．
図１は、この発明の実施の形態１における掃除具を示す斜視図である。本掃除具は、電気掃除機に接続されて使用される。図２は、この発明の実施の形態１における掃除具の断面を示す図である。図３は、図２のＡ−Ａ断面を示す図である。図４は、図２のＢ−Ｂ断面を示す図である。
【００１１】
掃除具は、旋回室形成部１、吸引風路形成部２、排気管３、清掃体４、保持部５を備える。図１等では、掃除具の内部の構成を図示するため、旋回室形成部１の一部の記載を省略している。
【００１２】
旋回室形成部１は、上壁６と側壁７とを備える。上壁６は、環状を呈する。側壁７は、下方に向かうに従って径が徐々に大きくなる円筒状を呈する。側壁７は、上壁６の周縁部から下方に伸びるように形成される。側壁７の上部に、吸気口８が形成される。吸気口８は、旋回室形成部１の外側の空気を、旋回室形成部１の内部に取り込むための開口である。
【００１３】
旋回室形成部１は、上壁６及び側壁７によって旋回室９を形成する。旋回室９は、吸気口８から流入した空気を側壁７に沿って旋回させるための空間である。上壁６によって上方が、側壁７によって側方が囲まれた空間が、旋回室９になる。
【００１４】
旋回室形成部１は、その下面に、旋回室９に通じる開口１０が形成される。本実施の形態では、側壁７の下端を平坦に形成し、側壁７の下端によって開口１０の外側の周縁を形成している。
【００１５】
吸引風路形成部２は、吸引風路１１を形成する。吸引風路１１は、旋回室形成部１の外側の空気を旋回室９に導くための風路である。吸引風路形成部２は、側壁７の外周面に設けられる。吸引風路形成部２は、一端が、側壁７の下端に近接する位置で、下方を向いて開口する。吸引風路形成部２の他端は、吸気口８に接続される。吸引風路形成部２の他端部は、吸気口８に通じる部分の吸引風路１１が旋回室９の接線方向を向くように、側壁７の外周面に沿って配置される。
【００１６】
排気管３は、排気風路１２を形成する。排気風路１２は、旋回室９の空気を旋回室形成部１の外側に導くための風路である。排気管３は、上壁６を上下に貫通するように旋回室形成部１に設けられる。このため、排気管３の一部は、旋回室９に突出する。以下においては、排気管３のうち、旋回室９に突出する部分を内管部ともいう。
【００１７】
排気管３の内管部は、円筒部１３と円錐部１４とからなる。
円筒部１３は、上壁６の中心部から下方に延び、その中心軸が側壁７の中心軸に沿うように配置される。円筒部１３の下部に、通気孔１５が形成される。通気孔１５は、旋回室９の空気を排気管３（具体的には、内管部）の内部に取り込むための開口である。通気孔１５は、吸気口８より下方に配置される。
【００１８】
円錐部１４は、円筒部１３から下方に伸び、下方に向かうに従って径が小さくなるように形成される。円錐部１４は、その中心軸が円筒部１３の中心軸に沿うように配置される。
【００１９】
排気管３の一端は、旋回室形成部１の外側で開口する。この排気管３の一端に形成された開口が排気口１６である。排気管３は、例えば、全体として途中で折れ曲がった筒状を呈する。排気管３は、通気孔１５から排気口１６に至る屈曲した排気風路１２を形成する。
【００２０】
清掃体４は、被清掃面の塵埃を除去するためのものである。清掃体４は、一部を被清掃面に接触させて、被清掃面に付着した塵埃を除去する。清掃体４は、被清掃面の塵埃を効率的に除去するため、例えば、布や紙、毛、樹脂等を表面に備えても良い。図１及び図２では、清掃体４の一例として、布や樹脂等からなる芯体１７と、芯体１７の表面に設けられた紐状体１８とを備えたものを示している。紐状体１８は、布や紙、毛、樹脂等の細長いものからなる。清掃体４は、紐状体１８の代わりに、突起やひだが芯体１７の表面に設けられていても良い。
【００２１】
保持部５は、清掃体４の落下を防止するためのものである。清掃体４は、旋回室９に配置される。保持部５は、清掃する場所を変える時や運搬時に清掃体４が落下してしまうことを防止する。保持部５は、例えば、円形の板状を呈する。保持部５は、排気管３の内管部（具体的には、円錐部１４）の下端に設けられる。保持部５は、側壁７の中心軸が中心を通り、且つ、側壁７の中心軸に対して直交するように配置される。
【００２２】
本実施の形態では、保持部５の縁が、開口１０の内側の周縁を形成する。即ち、開口１０は、側壁７の下端と保持部５との間に形成された環状の開口からなる。開口１０は、その幅が一定になるように形成される。清掃体４が旋回室９から落下することを防止するため、開口１０の幅は、清掃体４の幅より小さくなるように形成される。
【００２３】
図５は、図１に示す掃除具の使用方法を説明するための図である。
上記構成の掃除具は、排気管３の一端が電気掃除機の吸込ホース１９の先端部に接続される。使用者は、電気掃除機のハンドル２０を持って掃除具を操作する。
【００２４】
図５は、掃除具を正しい向きに配置した状態を示している。掃除具は、開口１０が下方を向くように被清掃面の上に置かれる。掃除具は、側壁７の下端及び／又は保持部５の下面が被清掃面に接触する。図５に示す状態で使用者が電気掃除機のスイッチを入れると、電気掃除機の電動送風機（図示せず）が吸引動作を行う。これにより、吸込ホース１９から空気が吸い込まれ、掃除具内に気流が発生する。
【００２５】
電動送風機の吸引動作が開始されると、側壁７の下端部の近傍の空気が、吸引風路形成部２の一端から吸引風路１１に取り込まれる。この空気は、吸引風路１１を通過し、吸気口８から旋回室９に流入する。吸気口８を通過した空気は、側壁７に沿うように、旋回室９に流れ込む。このため、旋回室９に流入した空気は、旋回室９において、側壁７に沿って一方向に回る旋回気流を形成する。旋回室９の空気は、通気孔１５から排気風路１２に取り込まれる。排気風路１２を通過した空気は、排気口１６から電気掃除機に送られる。
【００２６】
この時、清掃体４は、旋回室９で発生した旋回気流により、旋回室９で側壁７に沿って旋回する。清掃体４は、下方を向く面が被清掃面に接触する。清掃体４は、転がりながら旋回することにより、開口１０から被清掃面に付着した塵埃を除去する。
【００２７】
上記構成を有する掃除具であれば、被清掃面にこびり付いてしまった塵埃でもきれいに除去することができる。清掃体４は、旋回室９で発生した旋回気流によって旋回し、被清掃面に叩き付けられるようにその一部を被清掃面に接触させる。このため、清掃体４によって被清掃面を磨くように掃除を行うことができる。
【００２８】
清掃体４が旋回室９でよく転がるように、清掃体４を球体に成形しても良い。また、被清掃面との接触面積を大きくするため、清掃体４の一部を円柱体に成形しても良い。清掃体４の動きを不規則にするため、清掃体４を多面体に成形しても良い。
【００２９】
清掃体４は側壁７に接触しながら旋回する。このため、清掃体４及び／又は側壁７に、帯電防止機能を備えても良い。例えば、清掃体４及び側壁７を、カーボン等の帯電防止剤を添加した材料によって構成する。カーボンは繊維状でも構わない。また、アニオン系やカチオン系、ノニオン系の界面活性剤といった有機化合物からなる帯電防止剤を清掃体４に添加しても良い。上記有機化合物からなる帯電防止剤を塗布した材料によって清掃体４を構成しても良い。清掃体４及び／又は側壁７が内部或いは表面に帯電防止剤を備えることにより、清掃体４と側壁７との接触によって発生する静電気を低減できる。これにより、側壁７に付着する塵埃を少なくすることができる。
【００３０】
側壁７と排気管３の円筒部１３との間隔を清掃体４の幅より小さくすることにより、側壁７と円筒部１３との間に清掃体４が進入することを防止できる。清掃体４を開口１０の近傍に常に配置しておくことができ、清掃効率が向上する。なお、清掃体４が通気孔１５を塞ぐように排気管３に吸引されると、清掃体４の旋回が止まってしまう。側壁７と円筒部１３との間隔を清掃体４の幅より小さくした上で、通気孔１５を円筒部１３に形成すれば、かかる不具合も防止できる。
【００３１】
また、円筒部１３の下方に円錐部１４を設けることにより、清掃体４が旋回する空間を広く取ることができる。清掃効率を向上させるために、清掃体４を大きくすることが可能となる。
【００３２】
保持部５を旋回室形成部１に固定しても良い。但し、保持部５を側壁７に支持させる場合は、環状の開口１０を横切るように支持腕を設置しなければならない。支持腕に髪の毛等のごみが引っ掛かる恐れがある。上記構成の掃除具のように、保持部５を排気管３の内管部の下端で支持することにより、このような不具合を防止することができる。
【００３３】
保持部５を旋回室形成部１に対して取り外し可能に構成しても良い。例えば、保持部５単体で或いは排気管３の一部と共に、保持部５を吸引風路形成部２から取り外すことができるように構成する。保持部５を着脱自在に構成することにより、清掃体４の交換作業や側壁７の清掃作業を容易に行うことができる。
【００３４】
側壁７の一部又は全部を、透光性を有する材料で構成しても良い。例えば、側壁７の一部又は全部を透明にすることにより、開口１０に対向する被清掃面を側壁７を介して目視可能にする。かかる構成であれば、清掃時に清掃体４の動きや被清掃面の状態を確認することができる。
【００３５】
本実施の形態における掃除具では、吸引風路形成部２の一端を、側壁７の下端に近接する位置で開口させている。このため、側壁７の下端付近に存在する塵埃を吸引風路形成部２から吸い込むことができる。
【００３６】
次に、図６乃至図９も参照し、掃除具が採用し得る他の構成について説明する。
【００３７】
図６は、掃除具の他の構成例を示す断面図である。
図６に示すように、旋回室形成部１の側壁７を円筒形状にしても良い。かかる構成であっても、旋回室９に旋回気流を発生させ、清掃体４を旋回室９で旋回させることができる。但し、図２に示すような側壁７であれば、吸気口８から旋回室９に流入した空気を、側壁７に沿って下方に案内することができる。旋回気流によって清掃体４を下向きに押し付けることができ、清掃効率を更に向上させることができる。側壁７は、少なくとも吸気口８より下方の部分が、図２に示すような円筒状を呈することが好ましい。
【００３８】
図７は、掃除具の他の構成例を示す斜視図である。
図７に示す掃除具は、図１及び図２に示す掃除具よりも、円筒部１３が軸方向に短く、円錐部１４が軸方向に長い。即ち、図１及び図２に示す掃除具よりも、円錐部１４が高い位置まで配置されている。かかる構成であれば、清掃体４が旋回する空間を更に広くすることができる。清掃効率を向上させるために、清掃体４を大きくすることが可能となる。
【００３９】
清掃体４を旋回気流によって旋回させるためには、通気孔１５を、吸気口８より下方で、且つ、清掃体４に近い位置（即ち、低い位置）に形成することが好ましい。図７に示す掃除具では、円錐部１４が高い位置まで配置されているため、通気孔１５を円錐部１４の上部に形成している。かかる場合であっても、清掃体４によって通気孔１５が塞がれることがないように通気孔１５を形成する必要がある。
【００４０】
図８は、掃除具の他の構成例を示す断面図である。
図８に示すように、旋回室形成部１及び保持部５に、ブラシ状の塵埃除去体２１を設けても良い。旋回室形成部１に設けられた塵埃除去体２１は、旋回室形成部１の下面（具体的には、側壁７の下端）から下方に突出する。保持部５に設けられた塵埃除去体２１は、保持部５の下面から下方に突出する。なお、ここでは塵埃除去体２１をブラシ状の構成で説明したが、不織布によって塵埃除去体２１を構成しても良い。
【００４１】
開口１０に対向する被清掃面のうち、側壁７や保持部５に近接する部分は、清掃体４が被清掃面に接触し難い。塵埃除去体２１を備えることにより、かかる部分の塵埃を除去することができる。なお、上記側壁７に近接する部分は、掃除具の位置をずらしても清掃体４が被清掃面に当たらない場合がある。このため、塵埃除去体２１は、側壁７の下端に備えることが特に好ましい。
【００４２】
図９は、掃除具の他の構成例を示す斜視図である。
図９に示すように、排気管３の屈曲角度を調整自在に構成しても良い。図９に示す排気管３は、例えば、２つの管体２２及び管体２３が接続されたものからなる。管体２２は、一部が内管部を構成する。管体２２の上端部は、旋回室形成部１の上方に配置される。管体２３は、管体２２に対する角度が調節可能となるように、管体２２の上端部に接続される。管体２３の先端は、排気口１６を形成する。
【００４３】
排気管３を屈曲させることにより、吸込ホース１９への取り付けを容易に行うことができるようになる。更に、図９に示す構成を採用した場合は、吸込ホース１９の向きを多少変えても、掃除具が被清掃面から浮き上がることがない。掃除具を被清掃面に密着させておくことができる。
【００４４】
実施の形態２．
図１０は、この発明の実施の形態２における掃除具を示す斜視図である。
図１０に示す掃除具は、旋回室形成部１、吸引風路形成部２、排気管３、清掃体４、連結体２４を備える。旋回室形成部１、吸引風路形成部２、清掃体４の各構成は、実施の形態１で開示した構成と同じである。
【００４５】
排気管３の機能は、実施の形態１で開示した機能と同じである。本実施の形態における排気管３は、内管部が円筒部１３からなる。内管部は、円錐部１４を備えていない。円筒部１３は、上壁６の中心部から下方に延び、その中心軸が側壁７の中心軸に沿うように配置される。円筒部１３の下部に、通気孔１５が形成される。また、円筒部１３の下端は塞がれている。
【００４６】
連結体２４は、清掃体４の落下を防止するためのものである。連結体２４は、一端が円筒部１３の下端に接続される。連結体２４の他端は、清掃体４に連結される。
【００４７】
本実施の形態における開口１０は、側壁７の下端によって形成された円形の開口からなる。清掃体４が連結体２４によって排気管３に繋がれているため、円盤状の保持部５を備える必要はない。
【００４８】
その他の構成は、実施の形態１で開示した構成と同じである。かかる構成であっても、一定の効果が期待できる。
【符号の説明】
【００４９】
１  旋回室形成部、  ２  吸引風路形成部、  ３  排気管、  ４  清掃体、  ５  保持部、  ６  上壁、  ７  側壁、  ８  吸気口、  ９  旋回室、  １０  開口、  １１  吸引風路、  １２  排気風路、  １３  円筒部、  １４  円錐部、  １５  通気孔、  １６  排気口、  １７  芯体、  １８  紐状体、  １９  吸込ホース、  ２０  ハンドル、  ２１  塵埃除去体、  ２２  管体、  ２３  管体、  ２４  連結体
【図１】
2014087517.tif 000003
【図２】
2014087517.tif 000004
【図３】
2014087517.tif 000005
【図４】
2014087517.tif 000006
【図５】
2014087517.tif 000007
【図６】
2014087517.tif 000008
【図７】
2014087517.tif 000009
【図８】
2014087517.tif 000010
【図９】
2014087517.tif 000011
【図１０】
2014087517.tif 000012